(57)【要約】【課題】カレンダーロールにトラブルが発生してカレンダーロールを入れ替える必要が発生した場合に、短時間でカレンダーロールの入れ替えができ、生産性を大幅に低下させることがないゴムストリップ成形用の圧延装置およびゴムストリップの製造装置を提供する。【解決手段】ベース部と、ベース部に立設された左右一対のサイドプレートと、サイドプレートに取り付けられた一対のカレンダーロールとを備えたゴムストリップ成形用の圧延装置であって、サイドプレートが、ベース部に立設された下側分割プレートと、下側分割プレートに着脱自在に連結された上側分割プレートとに分割されており、上側分割プレートに一対のカレンダーロールが取り付けられて、ロール交換用ユニットとして形成されているゴムストリップ成形用の圧延装置。【選択図】図１
2015147377.tif 000002
【特許請求の範囲】
【請求項１】
ベース部と、前記ベース部に立設された左右一対のサイドプレートと、前記サイドプレートに取り付けられた一対のカレンダーロールとを備えたゴムストリップ成形用の圧延装置であって、
前記サイドプレートが、前記ベース部に立設された下側分割プレートと、前記下側分割プレートに着脱自在に連結された上側分割プレートとに分割されており、
前記上側分割プレートに前記一対のカレンダーロールが取り付けられて、ロール交換用ユニットとして形成されている
ことを特徴とするゴムストリップ成形用の圧延装置。
【請求項２】
前記上側分割プレートおよび前記下側分割プレートの分割面のいずれか一方に凸部が形成され、他方に凹部が形成されて、前記凸部と前記凹部とが互いに嵌合するように構成されていることを特徴とする請求項１に記載のゴムストリップ成形用の圧延装置。
【請求項３】
さらに、前記上側分割プレートおよび前記下側分割プレートの分割面における外側面に係止プレートが取り付けられていることを特徴とする請求項１または請求項２に記載のゴムストリップ成形用の圧延装置。
【請求項４】
吐出口からゴムを連続的に吐出するゴム押出機と、
前記吐出口の近傍に配設されて、前記吐出口から吐出されたゴムを圧延して帯状のゴムストリップを成形するゴムストリップ成形用の圧延装置と、
前記圧延装置の下流側に配設されて、前記圧延装置により圧延されて成形された前記ゴムストリップを引き取る引取りロールと
を備えており、
前記ゴムストリップ成形用の圧延装置が、請求項１ないし請求項３のいずれか１項に記載のゴムストリップ成形用の圧延装置であることを特徴とするゴムストリップの製造装置。
【発明の詳細な説明】
【技術分野】
【０００１】
本発明は、ゴムストリップ成形用の圧延装置、および前記ゴムストリップ成形用の圧延装置を備えたゴムストリップの製造装置に関する。
【背景技術】
【０００２】
空気入りタイヤの製造工程においては、ゴム材料を所定の厚みに圧延された帯状のゴムストリップが種々用いられている。
【０００３】
図５は、ゴムストリップの製造装置の概要を示す図である。図５に示すように、空気入りタイヤの製造工程において、帯状のゴムストリップＳは、ゴム押出機ａで押し出されたゴム材料が、ゴムストリップ成形用の圧延装置（以下、単に「圧延装置」とも言う）ｂに設けられた一対のカレンダーロールｂ３により規定の厚みに圧延されて成形される。そして、成形されたゴムストリップＳは、その後、引取りロールｃを介して次工程へと送られる（特許文献１〜３）。
【０００４】
図６は従来のゴムストリップ成形用の圧延装置を示す斜視図である。図６に示すように、圧延装置ｂは、本体部分Ａとベース部分Ｂとを備えており、本体部分Ａは、左右一対のサイドプレートｂ１、上プレートｂ２、上下一対のカレンダーロールｂ３、昇降シリンダーｂ４、モータｂ５、ベルトｂ６、ギア（図示省略）などを備えている。また、ベース部分Ｂは、下プレートｂ７、本体ベースｂ９およびＬＭガイドｂ８を備えている。
【先行技術文献】
【特許文献】
【０００５】
【特許文献１】特開２００６−８２２７７号公報
【特許文献２】特開２００９−１８４１５２号公報
【特許文献３】特開２０１２−２５４５３５号公報
【発明の概要】
【発明が解決しようとする課題】
【０００６】
しかしながら、このような従来の圧延装置ｂにおいて、カレンダーロールｂ３にトラブルが発生して、カレンダーロールｂ３を入れ替える必要が発生した場合、圧延装置ｂが設置されている製造ライン上で、前記した上プレートｂ２、サイドプレートｂ１、昇降シリンダーｂ４、ギア、ベルトｂ６などの多くの部品を取り外して、カレンダーロールｂ３の取り外しおよび取り付けを行った後、再度各部品を組み付けていた。
【０００７】
このように、カレンダーロールの入れ替えに際しては、圧延装置の分解、組み立てが必要であり、さらに、ベース部がＬＭガイドに連結されているため、取り外し作業が困難となり、入れ替えを完了するまでに要する時間が長い。そして、カレンダーロールの入れ替え中は、ゴム押出機などの周辺設備も停止させる必要があり、生産性を大幅に低下させる原因になる。
【０００８】
そこで、本発明は、カレンダーロールにトラブルが発生してカレンダーロールを入れ替える必要が発生した場合に、短時間でカレンダーロールの入れ替えができ、生産性を大幅に低下させることがないゴムストリップ成形用の圧延装置およびゴムストリップの製造装置を提供することを課題とする。
【課題を解決するための手段】
【０００９】
請求項１に記載の発明は、
ベース部と、前記ベース部に立設された左右一対のサイドプレートと、前記サイドプレートに取り付けられた一対のカレンダーロールとを備えたゴムストリップ成形用の圧延装置であって、
前記サイドプレートが、前記ベース部に立設された下側分割プレートと、前記下側分割プレートに着脱自在に連結された上側分割プレートとに分割されており、
前記上側分割プレートに前記一対のカレンダーロールが取り付けられて、ロール交換用ユニットとして形成されている
ことを特徴とするゴムストリップ成形用の圧延装置である。
【００１０】
請求項２に記載の発明は、
前記上側分割プレートおよび前記下側分割プレートの分割面のいずれか一方に凸部が形成され、他方に凹部が形成されて、前記凸部と前記凹部とが互いに嵌合するように構成されていることを特徴とする請求項１に記載のゴムストリップ成形用の圧延装置である。
【００１１】
請求項３に記載の発明は、
さらに、前記上側分割プレートおよび前記下側分割プレートの分割面における外側面に係止プレートが取り付けられていることを特徴とする請求項１または請求項２に記載のゴムストリップ成形用の圧延装置である。
【００１２】
請求項４に記載の発明は、
吐出口からゴムを連続的に吐出するゴム押出機と、
前記吐出口の近傍に配設されて、前記吐出口から吐出されたゴムを圧延して帯状のゴムストリップを成形するゴムストリップ成形用の圧延装置と、
前記圧延装置の下流側に配設されて、前記圧延装置により圧延されて成形された前記ゴムストリップを引き取る引取りロールと
を備えており、
前記ゴムストリップ成形用の圧延装置が、請求項１ないし請求項３のいずれか１項に記載のゴムストリップ成形用の圧延装置であることを特徴とするゴムストリップの製造装置である。
【発明の効果】
【００１３】
本発明によれば、カレンダーロールにトラブルが発生してカレンダーロールを入れ替える必要が発生した場合に、短時間でカレンダーロールの入れ替えができ、生産性を大幅に低下させることがないゴムストリップ成形用の圧延装置およびゴムストリップの製造装置を提供することができる。
【図面の簡単な説明】
【００１４】
【図１】本発明の第１の実施の形態に係るゴムストリップ成形用の圧延装置を示す斜視図である。
【図２】本発明の第２の実施の形態に係るゴムストリップ成形用の圧延装置を示す斜視図である。
【図３】図２のゴムストリップ成形用の圧延装置における凸部および凹部の寸法を示す図である。
【図４】図２のゴムストリップ成形用の圧延装置の側面図および正面図である。
【図５】ゴムストリップの製造装置の概要を示す図である。
【図６】従来のゴムストリップ成形用の圧延装置を示す斜視図である。
【発明を実施するための形態】
【００１５】
以下、本発明を実施の形態に基づき、図面を用いて説明する。
【００１６】
１．第１の実施の形態
図１は第１の実施の形態に係るゴムストリップ成形用の圧延装置（以下、単に「圧延装置」とも言う）を示す斜視図であって、（ａ）はロール交換用ユニットを取り付けた状態の図、（ｂ）はロール交換用ユニットを取り外した状態の図である。
【００１７】
図１に示すように、本実施の形態に係る圧延装置１は、従来の圧延装置と同様に、ベース部（図示省略）の下プレート４ａに立設された左右一対のサイドプレート３と、サイドプレート３に取り付けられた上下一対のカレンダーロール６とを備えている。なお、図１中の符号７は上プレートであり、８は昇降シリンダーである。
【００１８】
しかし、本実施の形態に係る圧延装置１は、サイドプレート３が、下プレート４ａに立設された下側分割プレート３１と、上側分割プレート３２とに分割されている。そして、上側分割プレート３２には、一対のカレンダーロール６が取り付けられて、上側の部材全体がロール交換用ユニット５として形成されている点で従来の圧延装置と異なる。
【００１９】
なお、このロール交換用ユニット５は、上記した一対のカレンダーロール６に加えて、上プレート７と昇降シリンダー８が、左右一対の上側分割プレート３２に取り付けられて構成されている。
【００２０】
以上のように、本実施の形態によれば、下側分割プレート３１に着脱自在に連結された上側分割プレート３２に一対のカレンダーロール６などが取り付けられて、ロール交換用ユニット５として形成されているため、カレンダーロール６を入れ替える必要が発生した場合でも、事前に組み付けておいた別のロール交換用ユニットと入れ替えるだけで、カレンダーロール６を容易に、短時間で入れ替えることができる。
【００２１】
そして、短時間でカレンダーロール６の入れ替えを行うことができるため、ゴム押出機などの周辺設備を長時間停止させる必要がなく、生産性を大幅に低下させることがない。
【００２２】
なお、取り外されたロール交換用ユニットは、製造ラインから外れた場所まで搬送された後、分解、組み立てが行われて、次のロール交換用ユニットの入れ替えに備えられる。
【００２３】
２．第２の実施の形態
上記の第１の実施の形態に係る圧延装置の場合、ロール交換用ユニット５を入れ替えた後、ゴム押出機から供給されるゴム材料を適切に圧延できるように、ロール交換用ユニット５の位置を調整する芯出し作業を行う必要があり、この芯出し作業に一定の時間を要する。
【００２４】
そこで、本発明者は、検討の結果、図２に示すような圧延装置１を作製した。図２は第２の実施の形態に係るゴムストリップ成形用の圧延装置を示す斜視図であって、（ａ）はロール交換用ユニットを取り付けた状態の図、（ｂ）はロール交換用ユニットを取り外した状態の図である。図３は図２の圧延装置における凸部および凹部の寸法を示す図である。図４は、係止プレートを取り付けた場合の図２の圧延装置の側面図および正面図である。
【００２５】
本実施の形態に係る圧延装置１は、下側分割プレート３１および上側分割プレート３２の分割面のうち、上側分割プレート３２に凸部４１ａが形成され、下側分割プレート３１に凹部４１ｂが形成されている点で第１の実施の形態に係る圧延装置と異なる。
【００２６】
この圧延装置１では、下側分割プレート３１と上側分割プレート３２とを連結する際に、凸部４１ａと凹部４１ｂとを嵌合させる。これにより、ロール交換用ユニット５の前後方向における位置を容易に調整することができる。
【００２７】
このように、本実施の形態によれば、前後方向の芯出し作業を行わなくても、凸部４１ａと凹部４１ｂとを嵌合させるのみで適切な位置にカレンダーロール６を配置することができるため、ロール交換用ユニット５入れ替え後の前後方向の芯出し作業を省略して、ゴム押出機などの周辺設備を長時間停止させる必要がなく、生産性の低下をより適切に抑制することができる。
【００２８】
なお、図３に示すように、凸部４１ａと凹部４１ｂの幅は、ロール交換用ユニット５を前後方向に適切に支持するという観点から、２０ｍｍ以上であることが好ましい。また、同様の観点から、凸部４１ａと凹部４１ｂの高さは、１０ｍｍ以上であることが好ましい。
【００２９】
そして、凹部４１ｂに凸部４１ａが適切に嵌合できるように、幅および高さの寸法値に対して、凸部４１ａの幅および高さの公差を−０．１〜−０．２ｍｍ、凹部４１ｂの幅および高さの公差を０〜＋０．１ｍｍに設定し、ロール交換用ユニット側の誤差の範囲内に収まる数値とし、前後のゴム搬送装置との干渉や、搬送装置間でのゴム位置ズレが発生しない設定とすることが好ましい。
【００３０】
ロール交換用ユニット５を入れ替えた後、前後方向とは別に、左右方向の位置も適切に調整する必要がある。この左右方向の位置を容易に調整して、左右方向の芯出し作業を省略するには、図４に示すように、上側分割プレート３２および下側分割プレート３１の分割面において外側面に係止プレート９を配置することが好ましい。
【００３１】
係止プレート９は、板状の部材であり、上側分割プレート３２と下側分割プレート３１の双方に接触するように配置されている。
【００３２】
そして、ボルトなどにより、各プレート３１、３２と係止プレート９を締めることにより、上側分割プレート３２と下側分割プレート３１との左右方向のずれが容易に修正され、ロール交換用ユニット５の左右方向の位置を容易に調整することができる。
【００３３】
この結果、ロール交換用ユニット５入れ替え後の左右方向の芯出し作業を省略することができるため、周辺設備の停止時間をさらに短くして、生産性の低下をさらに適切に抑制することができる。
【００３４】
このように、本実施の形態の圧延装置は、カレンダーロールにトラブルが発生した場合、製造ライン上で圧延装置を分解せずに、ロール交換用ユニット５を入れ替えることにより、短時間でカレンダーロールの入れ替えができる。
【００３５】
さらに、ロール交換用ユニット５の入れ替え後に、芯出し作業を行わなくても、ロール交換用ユニット５を適切な位置に配置することができるため、芯出し作業に要する時間を省略することにより、周辺設備の停止時間を大幅に短縮して、生産性の低下を大幅に抑制することができる。
【００３６】
以上、本発明を実施の形態に基づいて説明したが、本発明は上記の実施の形態に限定されるものではない。本発明と同一および均等の範囲内において、上記の実施の形態に対して種々の変更を加えることができる。
【符号の説明】
【００３７】
１、ｂ      圧延装置
３、ｂ１    サイドプレート
４ａ、ｂ７  下プレート
５          ロール交換用ユニット
６、ｂ３    カレンダーロール
７、ｂ２    上プレート
８、ｂ４    昇降シリンダー
９          係止プレート
３１        下側分割プレート
３２        上側分割プレート
４１ａ      凸部
４１ｂ      凹部
ａ          ゴム押出機
ｂ５        モータ
ｂ６        ベルト
ｂ８        ＬＭガイド
ｂ９        本体ベース
ｃ          引取りロール
Ａ          本体部分
Ｂ          ベース部分
Ｓ          ゴムストリップ
【図１】
2015147377.tif 000003
【図２】
2015147377.tif 000004
【図３】
2015147377.tif 000005
【図４】
2015147377.tif 000006
【図５】
2015147377.tif 000007
【図６】
2015147377.tif 000008